(57)【要約】【課題】光モジュールを増設する際に、増設用のユーザ側光ファイバーを再度余長処理することを不要とすると共に、増設用のユーザ側光ファイバーの先端に設けた光コネクタを確実に固定するダミーキャップを提供することを目的とする。【解決手段】ダミーキャップ１８の正面には、増設用のユーザ側光ファイバーの先端に設けた光コネクタを接続するための光コネクタ１９ａ、１９ｂが設けられており、２個の光コネクタ１９ａ、１９ｂは、夫々光信号の送信用、及び受信用の光コネクタを固定する。又、ダミーキャップ１８の図中上部に設けられた突起物は、ダミーキャップ１８を収容箱から挿抜する際に使用するツマミ２０である。ダミーキャップ１８の側面に設けたガイド２１、及び２２は、ダミーキャップ１８を収容箱に挿入する際に、寸法調整をするもので、摩擦抵抗を少なくスムースに収容箱に収容可能とするものである。【選択図】        図１
2004258376.tif 000002
【特許請求の範囲】
【請求項１】
光多重化信号を分岐して複数の通話路信号に分割し、該分割した光信号をユーザ宅との間で送受信する光通信装置であって、
該光通信装置には、ユーザ宅との間で光信号を送受する複数の光モジュールと、該光モジュールを収容する収容箱を備えており、
該収容箱の光モジュールを増設するスペースには、光モジュールに代えてダミーキャップを実装しており、
該ダミーキャップには、所定の光コネクタを備えていることを特徴とする光モジュール用ダミーキャップ。
【請求項２】
前記ダミーキャップの外形形状は、直方体であって、
該ダミーキャップを収容箱に実装した際に、収容箱から露出するダミーキャップの前面には、増設用の光ファイバーを仮接続する送信用、及び受信用の二つの光コネクタを設けており、
該ダミーキャップの前記前面上部には、ダミーキャップを挿抜する際使用するための突起物であるツマミが設けられており、
該ダミーキャップを収容箱に実装した際に、収容箱に収まるダミーキャップの４側面には、ダミーキャップの収容箱への挿入時に、寸法調整を行うと共に、摩擦抵抗を少なくするためのガイドが設けられていることを特徴とする請求項１記載の光モジュール用ダミーキャップ。
【請求項３】
前記光コネクタが、送受信用の一つの光コネクタからなることを特徴とする請求項１、又は２記載の光モジュール用ダミーキャップ。
【請求項４】
前記ダミーキャップは、モールド形成した構造であることを特徴とした請求項１乃至３記載の光モジュール用ダミーキャップ。
【請求項５】
前記光コネクタが、ＬＣコネクタであることを特徴とする請求項１乃至４記載の光モジュール用ダミーキャップ。
【発明の詳細な説明】
【０００１】
【発明の属する技術分野】
本発明は光モジュール用ダミーキャップに関し、特にインターネットユーザ宅等に光ファイバーを引き込み光信号による通信を行うシステムにおいて、ユーザ宅との間で光信号を送受信する光モジュールを後から増設するための空スペースに、光モジュールの代わりに実装するダミーキャップの構造を改良した光モジュール用ダミーキャップに関する。
【０００２】
【従来の技術】
インターネットの急激な普及に伴い、画像等の大容量データの転送が頻繁に行われるようになってきた。そのため、伝送路の大容量化が急務となり、特開平９−５５３２号公報や特開２００１−４８４８号公報にて提案されているように光ファイバーをインターネットのユーザ宅に引き込み、光信号による通信を行うシステムが構築されている。
そこで、インターネットサービスを提供する通信業者は、通信業者の局装置から複数のユーザ宅が存在する地域に光信号の多重化信号を送出し、各地域の電柱柱に設置した柱上装置等において多重化信号を各通信路に分離して個別の光ファイバーをユーザ宅に引き込むシステムを採用している。柱上装置には、その地域で将来見込まれる新たなユーザを収容出来るよう局装置から将来の増設分を含めて通信路数を設定しており、従って、柱上装置に実装し、ユーザ宅に光信号を送出する光モジュールは、運用時には、現在収容してサービスを提供するユーザ宅に使用する通信路分のみを実装し、将来の増設分となる通話路には、光モジュールを未実装として、光モジュールに代えて防塵対策等のため、ダミーキャップを装着している。
【０００３】
図３は、光ファイバーによりインターネット加入者にサービスを提供する場合のシステム構成例である。図３は、説明に必要な構成要素のみを記載しており、柱上装置１は、ユーザ側光ファイバー２ａ、２ｂによりユーザ宅３ａ、３ｂに接続されると共に、局側光ファイバー４により局装置５に接続している。又、柱上装置１は、分岐部６と光モジュール７ａ、７ｂと、ダミーキャップ８ａ、８ｂとにより構成する。
【０００４】
図３の動作を説明すると、本システムは、局装置５から柱上装置１が設置されている分岐点までは光信号が多重化された局側光ファイバー４を複数のユーザ宅で共用し、柱上装置１から各ユーザ宅３ａ、３ｂまでは、個別のユーザ宅向け光ファイバー２ａ、２ｂを専用に使用するものである。局装置５から送受信される多重化された光信号は、柱上装置１を構成する分岐部６において、各ユーザ宅に対応した個別の電気信号に分離された後、光モジュール７ａ、７ｂにより光信号に変換されてユーザ宅３ａ、３ｂに送出される。
一方、柱上装置１は、通常、将来新に収容するであろうユーザ宅にも対応できるように余裕をもって構成され、現状で未収用のユーザ側光ファイバーに対応する位置には、光モジュールの代わりに防塵対策等を目的にダミーキャップ８ａ、８ｂを装着する。
【０００５】
図４に、従来のダミーキャップの外観例とその装着例を示す。光モジュールは、柱上装置の内部に設けられた収容箱９に実装され、収容箱９の光モジュール挿入口１０から挿入される。そこで、光モジュールを当面未実装とする場合には、防塵対策等の目的でダミーキャップ８を光モジュール挿入口１０に挿入しておく。
【０００６】
図５は、光モジュールの外観例を示す。光モジュール７は、金属ケース１１に納められ、光モジュール７の前面には、ユーザ側光ファイバー２を接続するための光コネクタ１２が設けられている。
【０００７】
図６は、光モジュールを収容箱に実装した例である。本光モジュール７は、柱上装置の内部に設けられた収容箱９に実装され、収容箱９の光モジュール挿入口１０から挿入した後、ユーザ側光ファイバー２の先端に設けた光コネクタ１３を光モジュール７の光コネクタに接続する。
【０００８】
図７は、従来の柱上装置において、光ファイバーと光モジュールの実装状況を示す図である。図７は、所定の筐体１４に、収容箱９を搭載し、収容箱９には光モジュール７を実装すると共に、光モジュール７の未実装個所にはダミーキャップ８とを装着しており、光モジュール７には、筐体１４に設けた光ファイバーケーブル導入口１５より導入した光ファイバーケーブル１６より分離した所定のユーザ側光ファイバー２を接続している。又、収容箱９の表面には、導入したユーザ側光ファイバー２の余長処理を行う余長処理部１７が設けてあり、光ファイバの余長部分をこれに巻きつけて余長処理を行う。
【０００９】
【発明が解決しようとする課題】
前述したように従来の柱上装置は、光モジュールを後から増設するため当面は光モジュールを未実装とした際に、ダミーキャップを光モジュールの代わりに装着するが、光モジュールを未実装とした通話路に増設用のユーザ側光ファイバーのみが既に敷設されているような場合、引き込んだ増設用のユーザ側光ファイバーの仮設置場所を確保することが出来ず、又、増設用のユーザ側光ファイバーの先端に設けた光コネクタを光モジュールの光コネクタに接続できないため、テープ等を用いて何れかの場所に仮固定しておく必要が生じる。
【００１０】
又、将来、光モジュールを増設する際には、仮固定されている増設用のユーザ側光ファイバーを、再度余長処理を行って光モジュールに接続するため、作業性が悪いという問題が発生していた。
本発明は上述したような問題を解決するためになされたものであって、光モジュールを増設する際に、増設用のユーザ側光ファイバーを再度余長処理することを不要とすると共に、ダミーキャップを実装した際に増設用のユーザ側光ファイバーの先端に設けた光コネクタを確実に固定する方法を提供することを目的とする。
【００１１】
【課題を解決するための手段】
上記目的を達成するために本発明に係わる光モジュール用ダミーキャップは、以下の構成をとる。
請求項１記載の光モジュール用ダミーキャップは、光多重化信号を分岐して複数の通話路信号に分割し、該分割した光信号をユーザ宅との間で送受信する光通信装置であって、該光通信装置には、ユーザ宅との間で光信号を送受する複数の光モジュールと、該光モジュールを収容する収容箱を備えており、該収容箱の光モジュールを増設するスペースには、光モジュールに代えてダミーキャップを実装しており、該ダミーキャップには、所定の光コネクタを備えるよう構成する。
【００１２】
請求項２記載の光モジュール用ダミーキャップは、前記ダミーキャップの外形形状が、概ね直方体であって、該ダミーキャップを収容箱に実装した際に、収容箱から露出するダミーキャップの前面には、増設用の光ファイバーを仮接続する送信用、及び受信用の二つの光コネクタを設けており、該ダミーキャップの前記前面上部には、ダミーキャップを挿抜する際使用するための突起物であるツマミが設けられており、該ダミーキャップを収容箱に実装した際に、収容箱に収まるダミーキャップの４側面には、ダミーキャップの収容箱への挿入時に、寸法調整を行うと共に、摩擦抵抗を少なくするためのガイドが設けるよう構成する。
【００１３】
請求項３記載の光モジュール用ダミーキャップは、前記光コネクタが、送受信用の一つの光コネクタからなるよう構成する。
【００１４】
請求項４記載の光モジュール用ダミーキャップは、前記ダミーキャップが、モールド形成した構造であるよう構成する。
【００１５】
請求項５記載の光モジュール用ダミーキャップは、前記光コネクタが、ＬＣコネクタであるよう構成する。
【００１６】
【発明の実施の形態】
以下、図示した実施例に基づいて本発明を詳細に説明する。
本実施例においては、増設用のユーザ側光ファイバーの先端に設けた光コネクタを固定するためにダミーキャップに光コネクタを設け、増設用のユーザ側光ファイバーの先端に設けた光コネクタをダミーキャップに設けた光コネクタに接続した上で、収容箱に設けた余長処理部において、増設用のユーザ側光ファイバーの最終余長処理を可能としたものである。
従って、増設用のユーザ側光ファイバーが予め柱上装置に引き込まれている場合であっても、増設用のユーザ側光ファイバーの最終処理が出来、将来、光モジュールを増設した際には、ダミーキャップを増設用の光モジュールに交換するだけで作業を終了することが可能となる。
【００１７】
図１は、本発明に係るダミーキャップの一実施例を示す外観構造であり、図１（ａ）は、ダミーキャップの正面斜視図であり、図１（ｂ）は、裏面斜視図（収容箱に挿入する面）を示す。図１（ａ）に示す如く、ダミーキャップ１８は、モールドにより形成したものであり、ダミーキャップ１８の正面には、増設用のユーザ側光ファイバーの先端に設けた光コネクタを接続するための光コネクタ１９ａ、１９ｂが設けられており、２個の光コネクタ１９ａ、１９ｂは、夫々光信号の送信用、及び受信用の光コネクタを固定する。又、ダミーキャップ１８の図中上部に設けられた突起物は、ダミーキャップ１８を収容箱から挿抜する際に使用するツマミ２０である。ダミーキャップ１８の側面に設けたガイド２１、及び２２は、ダミーキャップ１８を収容箱に挿入する際に、摩擦抵抗を少なくスムースに収容箱に収容可能とするものである。
【００１８】
図１（ｂ）に示した穴２３は、ダミーキャップ１８をモールド成型する時に必要な穴であり、ダミーキャップ１８の使用時に直接は機能しない。
次に、ダミーキャップ１８の寸法について、図１（ａ）に示した図において一例を示すと、凡そＬ１＝３９ｍｍ、Ｌ２＝１４ｍｍ、Ｌ３＝９ｍｍ、Ｌ４＝６ｍｍ、Ｌ５＝９ｍｍ程度の寸法であり、光モジュールのダミーキャップとして機能する。
尚、本実施例におけるダミーキャップにおいては、光コネクタを送信用と受信用に対応して２個設けた場合について説明したが、光信号が波長多重される等の場合は、送受信用として１個の光コネクタを設けたダミーキャップとしても良い。
【００１９】
図２は、本発明に係わる柱上装置において、ダミーキャップ、光モジュール、及び光ファイバーの実装状況を示す図である。図２は、増設用のユーザ側光ファイバーを引き込んでいる場合の実装状況を示し、筐体１４に収容箱９を搭載し、収容箱９には光モジュール７と、光モジュール７の未実装個所にはダミーキャップ１８とを装着し、筐体１４に設けた光ファイバーケーブル導入口１５より導入した光ファイバーケーブル１６より分離した所定のユーザ側光ファイバー２を光モジュール７に光コネクタ１３を介して接続し、一方、増設用のユーザ側光ファイバー２４をダミーキャップ１８に光コネクタ２５を介して接続している。又、収容箱９の表面には、導入したユーザ側光ファイバー２、及び増設用のユーザ側光ファイバー２４の余長処理を行う余長処理部１７が設けてあり、光ファイバの余長部分をこれに巻きつけて余長処理を行う。
【００２０】
次に、余長処理の方法を説明すると、先ず、光ファイバーケーブル導入口１５へ外部から光ファイバーケーブル１６を引き込み、所定の方法で固定した後、光ファイバーケーブル１６から所定のユーザ側光ファイバー２、及び増設用のユーザ側光ファイバー２４を分離する。そこで、ユーザ側光ファイバー２については、図２の図中収容箱９の向かって右側に実装されている光モジュール７に設けた光コネクタに接続するため、ユーザ側光ファイバー２の余長部分を余長処理部１７の円周上の光ファイバークランプに沿って反時計回りに所定の回数巻きつけた後、光ファイバーの最小曲げ半径は３０ｍｍとなっているので、光ファイバーに曲げ負荷が加わらないように、光モジュール７に設けた光コネクタに所定のユーザ側光ファイバー２の先端に設けた光コネクタ１３を接続する。
【００２１】
一方、増設用のユーザ側光ファイバー２４については、図２の図中収容箱９の向かって左側に実装されているダミーキャップ１８に設けた光コネクタに接続するため、増設用のユーザ側光ファイバー２４の余長部分を余長処理部１７の円周上の光ファイバークランプに沿って反時計回りに所定の回数巻きつけた後、光ファイバーの最小曲げ半径は３０ｍｍとなっているので、光ファイバーに曲げ負荷が加わらないように、ダミーキャップ１８に設けた光コネクタに所定の増設用のユーザ側光ファイバー２４の先端に設けた光コネクタ２５を接続する。
【００２２】
従って、本実施例に示したダミーキャップを使用することにより、光モジュールが未実装個所の収容箱の防塵を行う他、増設用のユーザ側光ファイバーのみが敷設されている際には、増設用のユーザ側光ファイバーの先端に設けた光コネクタの保護及び仮固定を行うと共に、増設用のユーザ側光ファイバーの最終余長処理が行え、将来、増設用の光モジュールをダミーキャップに代えて実装する際には、増設用のユーザ側光ファイバーの先端に設けた光コネクタを、増設した光モジュールに設けた光コネクタに接続換えするだけで増設工事が完了する。一般に、柱上装置の保守、増設工事等は、バケットを使用した柱上での作業となり、本実施例のダミーキャップを使用することにより作業の効率化を図ることが可能となる。
又、増設用のユーザ側光ファイバーを仮止めする必要がないことから、光ファイバーの曲げや光ファイバーに対する外力からの影響を排除することが出来、光ファイバーの信頼性の向上に寄与することが出来る。
【００２３】
【発明の効果】
上述したように請求項１、２、４、５記載の発明は、増設用のユーザ側光ファイバーの先端に設けた光コネクタを、ダミーキャップに設けた光コネクタに接続出来、将来、増設用の光モジュールをダミーキャップに代えて収容箱に実装する際に、増設用のユーザ側光ファイバーの先端に設けた光コネクタを増設した光モジュールに設けた光コネクタに接続換えすることで増設工事が完了し、柱上装置の保守、増設工事が簡易化されることから柱上装置を運用する上で著しい効果を発揮することが可能である。
【００２４】
請求項３記載の発明は、ダミーキャップをモールド成型しており、量産時のコスト低減に著しい効果を発揮することが可能である。
【図面の簡単な説明】
【図１】本発明に係るダミーキャップの一実施例を示す外観構造である。
【図２】本発明に係わる柱上装置において、ダミーキャップ、光モジュール、及び光ファイバーの実装状況を示す図である。
【図３】光ファイバーによりインターネット加入者にサービスを提供する場合のシステム構成例である。
【図４】従来のダミーキャップの外観例とその実装例を示す。
【図５】光モジュールの外観例を示す。
【図６】光モジュールを収容箱に実装した例を示す。
【図７】従来の柱上装置において、光ファイバーと光モジュールの実装状況を示す図である。
【符号の説明】
１・・柱上装置、
２、２ａ、２ｂ・・ユーザ側光ファイバー、
３ａ、３ｂ・・ユーザ宅、          ４・・局側光ファイバー、
５・・局装置、                    ６・・分岐部、
７、７ａ、７ｂ・・光モジュール、  ８・・ダミーキャップ、
９・・収容箱、                  １０・・光モジュール挿入口、
１１・・金属ケース、              １２・・光コネクタ、
１３・・光コネクタ、              １４・・筐体、
１５・・光ファイバーケーブル導入口、
１６・・光ファイバーケーブル、    １７・・余長処理部、
１８・・ダミーキャップ、          １９ａ、１９ｂ・・光コネクタ、
２０・・ツマミ、                  ２１・・ガイド、
２２・・ガイド、                  ２３・・穴、
２４・・増設用ユーザ側光ファイバー、
２５・・光コネクタ
【図１】
2004258376.tif 000003
【図２】
2004258376.tif 000004
【図３】
2004258376.tif 000005
【図４】
2004258376.tif 000006
【図５】
2004258376.tif 000007
【図６】
2004258376.tif 000008
【図７】
2004258376.tif 000009